(57)【特許請求の範囲】
【請求項１】
下記（ａ）成分及び（ｂ）成分を含有する洗濯用組成物であって、（ａ）成分が、一般式（Ｉ）中のグリセリンの縮合度ｎが異なる複数の化合物を含む、洗濯用組成物。
（ａ）成分：一般式（Ｉ）で表されるグリセリルモノエーテルもしくはポリグリセリルモノエーテルの併用
Ｒ−Ｏ−（Ｃ3Ｈ6Ｏ2）n−Ｈ          （Ｉ）
（式中、Ｒは炭素数６〜２２の炭化水素基を、ｎはグリセリンの縮合度であり、整数を示す。）
（ｂ）成分：水・オクタノール分配係数（ｌｏｇＰ）が3.0未満であり、かつ、20℃における蒸気圧が0.01ｍｍHg（1.33kPa）を超える香料成分（ｂ１）を10〜50質量％含有する香料組成物
【請求項２】
（ａ）成分が、Ｒが炭素数１２及び又は炭素数１４のアルキル基であって且つグリセリンの縮合度ｎが３〜５である化合物の比率が、一般式（Ｉ）中のグリセリンの縮合度ｎが１〜７である化合物の合計量に対して、４０質量％以上である請求項１記載の洗濯用組成物。
【請求項３】
（ａ）成分／（ｂ）成分の質量比が１／１〜５００／１である請求項１又は２何れか記載の洗濯用組成物。
【請求項４】
（ｂ）成分中に、更に水・オクタノール分配係数（ｌｏｇＰ）が3.0以上であり、かつ、20℃における蒸気圧が0.01ｍｍHg（1.33kPa）以下である香料成分（ｂ２）を10〜60質量％含有する請求項１〜３何れか記載の洗濯用組成物。
【請求項５】
（ａ）成分が、一般式（Ｉ）で表される化合物を併用した成分であって、一般式（Ｉ）中のｎが異なる複数の化合物を含み、一般式（Ｉ）中のＲが炭素数１２及び又は炭素数１４のアルキル基であって且つグリセリンの縮合度ｎが３〜５である化合物の比率が、一般式（Ｉ）中のグリセリンの縮合度ｎが１〜７である化合物の合計量に対して、４０質量％以上である成分である、請求項１〜４何れか記載の洗濯用組成物。
【請求項６】
請求項１〜５何れか記載の洗濯用組成物と水とを含有し、（ａ）成分の含有量が0.1〜1000ｐｐｍである液体組成物を、繊維製品と接触させる繊維製品の処理方法。
【請求項７】
請求項１〜５何れか記載の洗濯用組成物と水とを含有し、（ａ）成分の含有量が0.1〜1000ｐｐｍである液体組成物を、繊維製品と接触させる繊維製品の賦香方法。
【発明の詳細な説明】
【技術分野】
【０００１】
本発明は、繊維製品の洗濯工程で用いる洗濯用組成物に関する。
【背景技術】
【０００２】
最近、消費者の要求に伴って、衣類等の繊維製品の洗濯工程で用いる洗剤、仕上げ剤（柔軟剤、糊剤、香り付け剤等）等の香りを訴求した洗濯用組成物が販売されている。
【０００３】
香りの持続性を高める技術として、保留剤の添加や包摂化合物の利用（特許文献１）、マイクロカプセル調剤の利用（特許文献２）、香料前駆体の利用（特許文献３）、等の徐放性に関する技術は従来より知られている。しかしながら、これらは単に経時的な香料成分の揮散速度を制御する方法か、加熱時による急激な揮散を抑制する方法であった。洗濯工程で用いる洗濯用組成物は多量の水に希釈して用いるため、このような方法では大部分の香料成分は水とともに排水され、繊維製品に香料を十分残留させることはできなかった。
【０００４】
洗濯工程で繊維製品に香料を残留させる技術として、アミドカルボン酸の利用（特許文献４）、疎水性香料の利用（特許文献５、６、７）、等が知られている。しかしながら、これらの方法では疎水性香料成分を繊維製品に残留させることはできても、親水性香料成分は水とともに排水され、繊維製品に親水性香料成分を十分残留させることはできなかった。
【０００５】
一般に、トップノートと呼ばれるフレッシュな香調を与える香料成分は親水性香料成分であり、洗濯用組成物としてはまとまった香調のものが得られたとしても、洗濯工程により親水性香料成分は水とともに排水されるため、繊維製品に残留する香調（特に乾燥後の香調）は洗濯用組成物としての香調とは異なるものとなり、使用者に違和感を与えることになる。このため、洗濯用組成物としての香調と繊維製品に残留する香調を同様にするために香料組成の開発に大きな制約となっていた。また、洗濯工程後繊維製品に残留する香調（特に乾燥後の香調）をフレッシュな香調にすることは困難であった。
【特許文献１】特開平０１−１９３３９７号公報
【特許文献２】特表２００３−５０４４９０号公報
【特許文献３】特表２００３−５１１８２３号公報
【特許文献４】特開平１０−４５５５３号公報
【特許文献５】特開２００７−１２４４４４号公報
【特許文献６】特開２００７−４５９６４号公報
【特許文献７】特開２００７−２４７１０１号公報
【発明の開示】
【発明が解決しようとする課題】
【０００６】
本発明の課題は、繊維製品等への賦香効果に優れ、且つ設計した香調で賦香できる洗濯用組成物を提供することにある。
【課題を解決するための手段】
【０００７】
本発明は、下記（ａ）成分及び（ｂ）成分を含有する洗濯用組成物に関する。
（ａ）成分：一般式（Ｉ）で表されるポリグリセリルモノエーテル
Ｒ−Ｏ−（Ｃ3Ｈ6Ｏ2）n−Ｈ          （Ｉ）
（式中、Ｒは炭素数６〜２２の炭化水素基を、ｎはグリセリンの縮合度であり、整数を示す。）
（ｂ）成分：水・オクタノール分配係数（ｌｏｇＰ）が3.0未満であり、かつ、20℃における蒸気圧が0.01ｍｍHg（1.33kPa）を超える香料成分（ｂ１）を10〜50質量％含有する香料組成物
【０００８】
また、本発明は、上記本発明の洗濯用組成物と水とを含有し、（ａ）成分の含有量が0.1〜1000ｐｐｍである液体組成物を、繊維製品と接触させる繊維製品の処理方法に関する。
【０００９】
また、本発明は、上記本発明の洗濯用組成物と水とを含有し、（ａ）成分の含有量が0.1〜1000ｐｐｍである液体組成物を、繊維製品と接触させる繊維製品の賦香方法に関する。
【発明の効果】
【００１０】
本発明によれば、繊維製品等への賦香効果に優れ、且つ設計した香調で賦香できる洗濯用組成物が得られる。すなわち、衣類等の繊維製品の洗濯後に、フレッシュな香調を残すことができる。またこれにより、洗濯用組成物の香調と洗濯後の繊維製品に残留する香調（特に乾燥後の香調）を近似させることが容易になる。
【発明を実施するための最良の形態】
【００１１】
＜洗濯用組成物＞
〔（ａ）成分〕
本発明の（ａ）成分は、一般式（Ｉ）で示されるポリグリセリルエーテルであり、グリセリルモノエーテル、ポリグリセリルモノエーテル又はそれらを併用したもの（以下、これらを総称して「グリセリルモノエーテル等」という）である。
【００１２】
一般式（Ｉ）中のＲは、直鎖、分岐鎖、飽和、不飽和の何れでも良く、炭素数６〜２２、更に１２〜１４、特に１２のアルキル基が好ましい。
【００１３】
（ａ）成分は、一般式（Ｉ）中のＲが炭素数１２〜１４、特に炭素数１２及び１４のアルキル基であるグリセリルモノエーテル等の比率が、合計で４０質量％以上であることが好ましく、より好ましくは７０質量％以上、更に９０質量％以上、最も好ましくは９５質量％以上である。
【００１４】
（ａ）成分は、一般式（Ｉ）中のｎが３〜５であるものが好ましい。なお、（ａ）成分が、一般式（Ｉ）中のｎが単一のもののみからなる場合は結晶化しやすいため、特に低温で水への溶解性が劣り、その結果、香料成分の残香性は低下する傾向を示す。一方、（ａ）成分が、一般式（Ｉ）中のｎが異なる複数のグリセリルモノエーテル等を含む場合、結晶化が抑制されるため低温でも高い溶解性を示し、その結果良好な香料成分の残香性が得られる。従って、（ａ）成分は、一般式（Ｉ）中のｎが異なる複数のグリセリルモノエーテル等からなるものが好ましく、特にｎが３〜５で、且つｎ＝３及び４、ｎ＝３及び５、ｎ＝４及び５、又はｎ＝３、４及び５のグリセリルモノエーテル等を含むものがより好ましく、特にｎ＝３、４及び５のグリセリルモノエーテル等を含むものが好ましい。
【００１５】
（ａ）成分中、一般式（Ｉ）の縮合度ｎ＝３〜５の化合物は、２０質量％以上含まれることが好ましい。
【００１６】
一般式（Ｉ）中のｎは、洗浄力の観点から、ｎ＝４が最も好ましく、（ａ）成分中、ｎ＝４であるグリセリルモノエーテル等の比率が１０質量％以上、１５質量％以上、２０質量％以上、特に３０質量％以上であることが好ましい。
【００１７】
また、一般式（Ｉ）中のｎが１又は２であるグリセリルモノエーテル等の比率は合計で５０質量％未満、更に３５質量％以下であることが好ましい場合がある。又、（ａ）成分中、ｎが１であるグリセリルモノエーテル等の含有量が３０質量％未満、更に２０質量％以下であることが好ましい場合がある。
【００１８】
（ａ）成分は、一般式（Ｉ）中のＲが炭素数１２及び／又は炭素数１４のアルキル基であって、且つｎが３〜５であるグリセリルモノエーテル等が好ましく、その比率が４０質量％以上であることが低温溶解性の観点から好ましい。前記比率は、より好ましくは５０質量％以上、更に好ましくは６０質量％以上、特に好ましくは７０質量％以上、最も好ましくは８０質量％以上である。また、低温での洗浄性能の観点から上限は、好ましくは９９質量％以下、より好ましくは９５質量％以下、更に好ましくは９０質量％以下、特に好ましくは８５質量％以下である。
【００１９】
（ａ）成分は、一般式（Ｉ）中のＲが炭素数１２及び／又は炭素数１４のアルキル基であって、且つｎが３〜５であるポリグリセリルモノエーテルの合計の比率を９９質量％以下とした場合には、低温での溶解性が著しく向上する。一般にこの含有量が低いほど低温での溶解性は向上するが、香料成分の残留性が低下する傾向にあるため、上記した下限値と上限値の範囲が好ましい。
【００２０】
（ａ）成分は、一般式（Ｉ）中のＲが炭素数１２のアルキル基で、ｎが３〜５であるグリセリルモノエーテル等（ａ−１）と、一般式（Ｉ）中のＲが炭素数１４のアルキル基で、ｎが３〜５であるグリセリルモノエーテル等（ａ−２）の両方を含んでいることが好ましい。更に（ａ−１）成分及び（ａ−２）成分は、いずれもｎの異なる複数のグリセリルモノエーテル等、特にｎ＝３、４、５の３種のグリセリルモノエーテル等を含有することが好ましい。（ａ）成分中の（ａ−１）成分及び（ａ−２）成分の合計の比率は、一般式（Ｉ）で表されるポリグリセリン全体に対して２０質量％以上であること、あるいは、一般式（Ｉ）中のグリセリンの縮合度ｎが１〜７である化合物の合計量に対して４０質量％以上であることが好ましい。
【００２１】
（ａ）成分を構成するグリセリンの縮合度ｎの質量割合〔（ａ）成分中の質量割合〕は、ガスクロマトグラフィー（ＧＣ）法のエリア％から求めることができる。
【００２２】
本発明の（ａ）成分は、例えば、炭素数６〜２２のアルコールに所定量の２，３−エポキシ−１−プロパノール（グリシドール）をアルカリ触媒の存在下で反応させることで得られる。また、特開２０００−１６０１９０号公報の段落０００７〜００１１に記載されたような方法で製造することもできる。
【００２３】
なお、一般式（Ｉ）中のｎ＝３〜５のグリセリルモノエーテル等が所定比率にあるものを用いる場合には、必要に応じて反応物を蒸留等により精製することで、所定範囲の縮合度の化合物を得ることができる。
【００２４】
例えば、一般式（Ｉ）中のｎ＝１、２のものは、減圧下で蒸留することにより留去することができる。ｎ＝１、２の成分を減らすことで、３〜５モル成分の割合を増やすことができる。蒸留装置に限定は無いが、薄膜蒸留を行うことにより、これら成分を効率的に分離することができる。至適蒸留温度は、真空度によって大きく変化するが、真空度が０．１３ｋＰａの場合、１５０℃以上３００℃以下、好ましくは１７０℃以上３００℃以下、さらに２００℃以上３００℃以下が好ましい。３００℃以上の温度で蒸留すると着色等品質の劣化が生じる場合がある。
【００２５】
また例えば、一般式（Ｉ）中の縮合度が高いもの（ｎが大きいもの）を取り除く場合は、カラムによる分離を行うことができる。カラムによる分離は、条件を工夫することにより、ｎ＝１、２成分の除去に利用することもできる。
【００２６】
本発明の組成物中、溶解性、香料成分の残香性の観点より、（ａ）成分の含有量は０．１〜５０質量％が好ましく、０．３〜４０質量％がより好ましく、０．５〜３０質量％が更に好ましく、１〜２５質量％が特に好ましい。
【００２７】
〔（ｂ）成分〕
本発明の（ｂ）成分は、下記（ｂ１）成分、要すれば（ｂ２）成分の香料成分を含有する。
（ｂ１）成分：水・オクタノール分配係数（ｌｏｇＰ）が３．０未満であり、かつ、２０℃における蒸気圧が0.01ｍｍHg（1.33kPa）を超える香料成分
（ｂ２）成分：水・オクタノール分配係数（ｌｏｇＰ）が３．０以上であり、かつ、２０℃における蒸気圧が0.01ｍｍHg（1.33ｋPa）以下である香料成分
【００２８】
（ｂ１）成分は、比較的蒸散しやすい香料成分であり、通常は洗浄や柔軟処理後の衣料にはこれら香料成分は残りにくい。一方（ｂ２）成分は、比較的蒸散しにくく、しかも洗浄や柔軟処理後の衣料に残りやすく、残香性を有する香料成分である。しかしながら、（ｂ２）成分は衣料上に残っても香り立ちなどが悪く、また極限られた香調となってしまう。
【００２９】
そこで本発明は、（ａ）成分を用いることで（ｂ１）成分を残香させることができるようになったものである。これにより、従来の香り立ちが悪い点及び香調の種類が限られる点などの課題を解決して（ｂ１）成分と（ｂ２）成分の調和により、香り立ちの良い、さまざまな香調が得られるようになった。また、（ｂ１）成分、（ｂ２）成分以外の香料成分を含有しても良い。
【００３０】
ここで、ＬｏｇＰとは、有機化合物の水と１−オクタノールに対する親和性を示す係数である。１−オクタノール／水分配係数Ｐは、１−オクタノールと水の２液相の溶媒に微量の化合物が溶質として溶け込んだときの分配平衡で、それぞれの溶媒中における化合物の平衡濃度の比であり、底１０に対するそれらの対数ｌｏｇＰの形で示すのが一般的である。
【００３１】
多くの化合物のｌｏｇＰ値が報告され、Daylight Chemical Information Systems, Inc. (Daylight CIS)などから入手しうるデータベースには多くの値が掲載されているので参照できる。実測のｌｏｇＰ値がない場合には、Daylight CISから入手できるプログラム“CLOGP"で計算すると最も便利である。このプログラムは、実測のｌｏｇＰ値がある場合にはそれと伴に、Hansch, Leoのフラグメントアプローチにより算出される“計算ｌｏｇＰ(ＣｌｏｇＰ)"の値を出力する。
【００３２】
（ｂ１）成分は、香調の良い香りが残る点から、２０℃における蒸気圧が０．０１ｍｍHg（１．３３ｋＰａ）を超え、好ましくは０．０２〜２ｍｍHg（２．６７〜２６７ｋＰａ）、特に好ましくは０．０５〜１ｍｍHg（６．６７〜１３３ｋＰａ）である。
【００３３】
（ｂ２）成分は、香料の持続性の点から、２０℃における蒸気圧が０．０１ｍｍHg（１．３３ｋＰａ）以下、好ましくは０．００１〜０．０１ｍｍHg（０．１３３〜１．３３ｋＰａ）、特に好ましくは０．００１〜０．００５ｍｍHg（０．１３３〜０．６６７ｋＰａ）である。
【００３４】
（ｂ１）成分の具体例を表１ａ〜表１ｃに示す。（ｂ１）成分としては、特にローズオキサイド、マンザネート、リナロール、ゲラニオール、ネロール、テルピネオール、サリチル酸メチル、フェニル酢酸エチル、酢酸cis-3-ヘキセニル、酢酸スチラリル、酢酸ベンジル、ベンズアルデヒド、酢酸イソアミル、酢酸フェニルエチル、l-カルボン、マルトールが好ましい。
【００３５】
【表１ａ】
0005475228.tif 000002
【００３６】
【表１ｂ】
0005475228.tif 000003
【００３７】
【表１ｃ】
0005475228.tif 000004
【００３８】
（ｂ２）成分の具体例を表２ａ〜表２ｃに示す。（ｂ２）成分としては、特にペンタライド、セドリルメチルエーテル、パチュリアルコール、酢酸ベチベリル、ヘキシルシンナミックアルデヒド、シトロネロール、酢酸シトネリル、サリチル酸 cis-3-ヘキセニル、エチレンブラシレート、アセチルセドレン、桂皮酸ベンジル、カシュメラン、リリアル、α−ヨノン、β−ヨノン、α−ダマスコン、β−ダマスコン、チモールが好ましい。
【００３９】
【表２ａ】
0005475228.tif 000005
【００４０】
【表２ｂ】
0005475228.tif 000006
【００４１】
【表２ｃ】
0005475228.tif 000007
【００４２】
（ｂ）成分中、（ｂ１）成分の含有量は１０〜５０質量％であり、好ましくは２０〜４５質量％、更に好ましくは３０〜４０質量％含有する。また、（ｂ）成分中、（ｂ２）成分の含有量は１０〜６０質量％が好ましく、より好ましくは３０〜６０質量％、更に好ましくは３５〜５５質量％、より更に好ましくは４０〜５０質量％含有する。この範囲は、良好な（ｂ）成分の残香性（香り立ちが良く、香調の良い香りが残ること）を得る観点で望ましい。
【００４３】
本発明の組成物において、（ａ）成分／（ｂ）成分の質量比は、残香性の観点より、１／１〜５００／１が好ましく、２／１〜４００／１がより好ましく、３／１〜３００／１が更に好ましい。
【００４４】
〔その他成分〕
本発明の組成物は（ａ）成分以外の界面活性剤を含有することができる。界面活性剤としては、陰イオン界面活性剤、非イオン界面活性剤、両性界面活性剤、陽イオン界面活性剤等が挙げられる。
【００４５】
陰イオン界面活性剤としては、高級アルコールの硫酸エステル塩、高級アルコールのエトキシル化物の硫酸エステル塩、アルキルベンゼンスルホン酸塩、パラフィンスルホン酸塩、α−オレフィンスルホン酸塩、α−スルホ脂肪酸塩若しくはそのエステル塩、又は脂肪酸塩が挙げられる。特に、アルキル鎖の炭素数が１０〜１８（好ましくは１２〜１４）の直鎖アルキルベンゼンスルホン酸塩、炭素数が１０〜２０のα−スルホ脂肪酸アルキルエステル塩が好ましい。また、対イオンとしては、アルカリ金属、アルカリ土類金属、アンモニア、アルカノールアミン等が挙げられる。
【００４６】
非イオン界面活性剤としては、高級アルコールのエチレンオキシド（以下「ＥＯ」という）付加物、若しくはＥＯ／プロピレンオキシド（以下「ＰＯ」という）付加物、脂肪酸アルカノールアミド、アルキル（ポリ）グリコシド等が挙げられる。特に炭素数が１０〜１６のアルコールのＥＯ１〜１０モル付加物が皮脂汚れの除去、耐硬水性、生分解性の点で好ましい。
【００４７】
陽イオン界面活性剤として、アミン塩又は第４級アンモニウム塩等を用いることができる。特にジ長鎖アルキル型の第４級アンモニウム塩が好適であり、アルキル基中に−ＣＯＯ−、−ＯＣＯ−、−ＮＨＣＯ−、−ＣＯＮＨ−のような連結基を含むものであってもよい。
【００４８】
両性界面活性剤として、カルボベタイン型、スルホベタイン型両性界面活性剤等が挙げられる。
【００４９】
その他、洗剤、仕上げ剤（柔軟剤、糊剤、香り付け剤等）等、洗濯用組成物として特徴的な性質を付与できる成分を含有することができる。
【００５０】
また、従来知られている洗剤、仕上げ剤（柔軟剤、糊剤、香り付け剤等）等の洗濯用組成物に本発明の（ａ）成分及び（ｂ）成分を添加することで、本発明の組成物とすることができる。
【００５１】
本発明の洗濯用組成物は、衣料、寝具等の繊維製品を対象とすることが好ましい。また、本発明の洗濯用組成物は、洗剤組成物、柔軟剤組成物、糊剤組成物などの洗濯用組成物としての応用が可能である。また、本発明の洗濯用組成物は、賦香用組成物として用いることもできる、
【００５２】
〔繊維製品の処理方法〕
本発明の洗濯用組成物による衣類等の繊維製品の処理方法は特に制限されるものではなく、従来知られている洗剤、仕上げ剤（柔軟剤、糊剤、香り付け剤等）等と同様に処理できる。
【００５３】
洗濯工程後（特に乾燥後）の繊維製品への香料成分の残香性の点で、本発明の洗濯用組成物と水とを含有し、（ａ）成分の含有量が0.1〜1000ｐｐｍである液体組成物を、繊維製品と接触させることが好ましい。その場合、当該液体組成物と繊維製品との比率（質量比）は、繊維製品／液体組成物＝１０００／１〜１０００／５０が好ましい。
【００５４】
〔繊維製品の賦香方法〕
本発明の洗濯用組成物による衣類等の繊維製品の賦香方法は特に制限されるものではなく、従来知られている洗剤、仕上げ剤（柔軟剤、糊剤、香り付け剤等）等と同様に処理できる。
【００５５】
洗濯工程後（特に乾燥後）の繊維製品への香料成分の残香性の点で、本発明の洗濯用組成物と水とを含有し、（ａ）成分の含有量が0.1〜1000ｐｐｍである液体組成物を、繊維製品と接触させることが好ましい。その場合、当該液体組成物と繊維製品との比率（質量比）は、繊維製品／液体組成物＝１０００／１〜１０００／１００が好ましい。
【実施例】
【００５６】
＜香料組成物＞
表３ａ、３ｂ記載の組成になるように香料成分を調合し、香料組成１〜４を得た。
【００５７】
【表３ａ】
0005475228.tif 000008
【００５８】
【表３ｂ】
0005475228.tif 000009
【００５９】
＜グリセリルモノエーテル（１）の合成方法＞
ラウリルアルコール９３．２ｇ（０．５０mol）、ランタントリフラート２．９４ｇ（０．００５０mol）を３００ｍＬ四つ口フラスコに入れ、窒素気流下、撹拌しながら９０℃まで昇温した。次に、その温度を保持しながらグリシドール１４８．１６ｇ（２．０mol）を２４時間で滴下し、そのまま２時間撹拌を続け、反応生成物２５１．５ｇを得た。得られた反応生成物をガスクロマトグラフィーによって分析した結果、グリシドール転化率９９．９％以上、ラウリルアルコール６．０質量％、ポリグリセリンの含有量は２．２質量％であった。また得られたラウリルポリグリセリルエーテルのうち、グリセリンの縮合度ｎが３〜５のものの割合は、ｎが１〜７のものの合計に対して４３．３質量％であった。またｎ＝１〜７のラウリルポリグリセリルエーテルの含有率は６０．２質量％、８モル以上の縮合度のものは３１．６質量％であった。よって、該生成物〔グリセリルモノエーテル（１）〕は、グリセリンの縮合度ｎが異なる複数の化合物を確認し、ｎが３〜５に関してはいずれのものも含まれていた。
【００６０】
＜洗剤組成物による繊維処理の方法＞
表４で示した組成になるよう下記原料を混合し、実施例及び比較例の洗剤組成物６を得た。この組成物２６．７ｇと肌着（グンゼＹＧ）２ｋｇをナショナル製全自動洗濯機、ＮＡ−Ｆ７０ＡＰ２型に投入し、水位少量（４０Ｌ）、標準コース（洗い７分、注水濯ぎ２回、脱水４分）で洗濯を行った。温度２５℃、湿度６５％ｒｈの条件で１２時間乾燥を行った後、香料の香り強度と香りの変化の有無を下記の方法で評価した。結果を表４に示す。また、表４で用いた成分は以下のものである。
【００６１】
ＡＳ：花王（株）製エマール０を用いた。
エトキシレートノニオン（１）：アルキル鎖長が炭素数１２で、ＥＯ平均付加モル数６の、花王（株）製エマルゲン１０８を用いた。
ゼオライト：平均粒径３μｍのＡ型ゼオライト、ゼオビルダー（株）製を用いた。
炭酸ナトリウム（デンス灰）：セントラル硝子（株）製を用いた。
硫酸ナトリウム：四国化成（株）製の無水ボウ硝を用いた。
【００６２】
＜仕上げ剤組成物による繊維処理の方法＞
表５で示した組成になるよう原料を混合し、実施例及び比較例の仕上げ剤組成物を得た。市販洗剤（花王（株）、アタック）２６．７ｇと肌着（グンゼ（株）、グンゼＹＧ）２ｋｇをナショナル製全自動洗濯機、ＮＡ−Ｆ７０ＡＰ２型に投入し、水位少量（４０Ｌ）、標準コース（洗い７分、注水濯ぎ２回、脱水４分）で洗濯を行った。この際、２回目の濯ぎが開始されたと同時に仕上げ剤組成物１５ｇを投入した。温度２５℃、湿度６５％ｒｈの条件で１２時間乾燥を行った後、香料の香り強度と香りの変化の有無を下記の方法で評価した。結果を表５に示す。また、表５で用いた成分は以下のものである。
【００６３】
カチオン：トリエタノールアミンエステル化合物、Kao Corporation S.A.社製のテトラニルＡＴ７５９０を使用した
エトキシレートノニオン（２）：アルキル鎖長が炭素数１２で、ＥＯ平均付加モル数８の、花王（株）製  エマルゲン１０８Ｋを用いた。
【００６４】
＜香料の香り強度の評価方法＞
上記の方法で処理された肌着を１０人のパネラーで行った。香りの強さに関する官能評価は次の６段階で行った。０（匂わない）、１（かすかに匂う）、２（匂う）、３（明らかに匂う）、４（強く匂う）、５（非常に強く匂う）。得点は１０名の平均値で表した。
【００６５】
＜香りの変化の有無評価方法＞
洗剤組成物あるいは仕上げ剤組成物の香調と、洗濯、乾燥後の肌着の香調を比較し、同じに感じられる場合には１点、異なると思われる場合には０点とし、１０名の点数を加算し、５点以上を同等（○）、５点未満を異なる（×）として評価した。
【００６６】
＜洗浄力評価＞
いずれの実施例や比較例もＪＩＳＫ３３６２（標準洗剤を用いた洗濯洗浄試験）の結果、標準洗剤より洗浄力が上回ることを確認した。
【００６７】
【表４】
0005475228.tif 000010
【００６８】
【表５】
0005475228.tif 000011